(57)【要約】【課題】  簡単な構造でプリント完成品を仕分けるとともに、プリントシステムの設置箇所および設置形態の選択の幅をより広める。。【解決手段】  プリントシステム２の仕分け装置１１は、プリント完成品２９が集積される箱Ａ〜Ｃ２３ａ〜２３ｃと、箱Ａ〜Ｃ２３ａ〜２３ｃが着脱可能に並べて載置されるスタッカー２４と、プリント完成品２９をプリンタＡ〜Ｃ１０ａ〜１０ｃの排出口２８ａ〜２８ｃから箱Ａ〜Ｃ２３ａ〜２３ｃへと導くシュート２５と、シュート２５の排出口２５ｅの前方に、箱Ａ〜Ｃ２３ａ〜２３ｃが一箱宛移動されるように、スタッカー２４を移動させるモータ２７と、箱Ａ〜Ｃ２３ａ〜２３ｃの各々を識別するためのＩＣタグ３３ａ〜３３ｃおよびタグリーダ３６と、注文情報を管理するＨＣ１２との信号の入出力を媒介するＵＳＢコネクタ３９とを備える。モータ２７は、ＨＣ１２から入力される駆動制御信号に基づいて、その動作を制御される。【選択図】        図２
2005272123.tif 000002
【特許請求の範囲】
【請求項１】
複数のプリンタから排出されるプリント完成品を注文毎に仕分ける仕分け装置であって、
前記プリント完成品が集積される複数の箱と、
前記複数の箱が着脱可能に並べて載置されるスタッカーと、
前記プリント完成品を前記複数のプリンタの排出口から前記箱へと導くシュートと、
前記シュートの排出口の前方に、前記複数の箱が一箱宛移動されるように、前記スタッカーを移動させる移動手段と、
前記複数の箱の各々を識別するための識別手段と、
前記注文に関する注文情報を管理する情報処理装置との信号の入出力を媒介する通信手段とを備え、
前記移動手段は、前記通信手段を介して前記情報処理装置から入力される駆動制御信号に基づいて、その動作を制御されることを特徴とする仕分け装置。
【請求項２】
前記スタッカーは、前記複数の箱が一列に並べられる長板からなり、
前記移動手段は、前記シュートの排出口に対して、前記スタッカーを左右または前後に直線運動させることを特徴とする請求項１に記載の仕分け装置。
【請求項３】
前記スタッカーは、前記複数の箱が環状に並べられる円板からなり、
前記移動手段は、前記シュートの排出口に対して、前記スタッカーを回転運動させることを特徴とする請求項１に記載の仕分け装置。
【請求項４】
複数のプリンタと、前記複数のプリンタから排出されるプリント完成品を注文毎に仕分ける仕分け装置と、前記複数のプリンタおよび前記仕分け装置に接続し、これらの動作を統括的に制御するとともに、プリントの注文に関する注文情報を管理する情報処理装置とからなるプリントシステムにおいて、
前記仕分け装置は、前記プリント完成品が集積される複数の箱と、
前記複数の箱が着脱可能に並べて載置されるスタッカーと、
前記プリント完成品を前記複数のプリンタの排出口から前記箱へと導くシュートと、
前記シュートの排出口の前方に、前記複数の箱が一箱宛移動されるように、前記スタッカーを移動させる移動手段と、
前記複数の箱の各々を識別するための識別手段と、
前記情報処理装置との信号の入出力を媒介する通信手段とを備え、
前記移動手段は、前記通信手段を介して前記情報処理装置から入力される駆動制御信号に基づいて、その動作を制御されることを特徴とするプリントシステム。
【請求項５】
前記スタッカーは、前記複数の箱が一列に並べられる長板からなり、
前記移動手段は、前記シュートの排出口に対して、前記スタッカーを左右または前後に直線運動させることを特徴とする請求項４に記載のプリントシステム。
【請求項６】
前記スタッカーは、前記複数の箱が環状に並べられる円板からなり、
前記移動手段は、前記シュートの排出口に対して、前記スタッカーを回転運動させることを特徴とする請求項４に記載のプリントシステム。
【請求項７】
前記複数のプリンタを一台宛上下に重ねて搭載するための複数の段が設けられたラックを備え、このラックの下部に前記スタッカーを配置したことを特徴とする請求項４ないし６のいずれかに記載のプリントシステム。
【請求項８】
前記情報処理装置は、前記駆動制御信号の内容をオペレータが設定することが可能な設定手段を備えたことを特徴とする請求項４ないし７のいずれかに記載のプリントシステム。
【請求項９】
前記識別手段の識別結果を元に取得され、前記仕分け装置による前記プリント完成品の仕分け状況を示す仕分け情報を表示する表示装置を備えたことを特徴とする請求項４ないし８のいずれかに記載のプリントシステム。
【発明の詳細な説明】
【技術分野】
【０００１】
本発明は、複数のプリンタから排出されるプリント完成品を注文毎に仕分ける仕分け装置、および、複数のプリンタと、複数のプリンタから排出されるプリント完成品を注文毎に仕分ける仕分け装置と、複数のプリンタおよび仕分け装置に接続し、これらの動作を統括的に制御するとともに、プリントの注文に関する注文情報を管理する情報処理装置とからなるプリントシステムに関する。
【背景技術】
【０００２】
デジタルカメラやカメラ付き携帯電話などの普及に伴い、高画質なプリント画像が得られるデジタルプリントサービスを利用する顧客が増えている。このようなサービスを提供するプリントシステムでは、プリンタプロセッサなどの自動現像機を用いてプリント画像の作成を行っている。プリンタプロセッサでは、印画紙に画像を焼き付け、現像、漂白などの処理をした後、１コマずつカットして、仕分け装置により注文毎に仕分けて集積している（特許文献１参照）。
【０００３】
【特許文献１】特開平７−６９５２１号公報
【発明の開示】
【発明が解決しようとする課題】
【０００４】
しかしながら、特許文献１に記載のプリンタプロセッサに搭載された仕分け装置は、業務用に設計されており、構造が複雑且つ大型であるため、汎用性に乏しいという問題があった。また、プリンタプロセッサ自体も、民生用のプリンタと比べて大型であるため、設置箇所および設置形態に制約を受けるという問題があった。
【０００５】
本発明は、上記課題を鑑みてなされたものであり、簡単な構造でプリント完成品を仕分けることが可能な仕分け装置を提供することを目的とする。
【０００６】
また、本発明は、設置箇所および設置形態の選択の幅をより広めることができるプリントシステムを提供することを目的とする。
【課題を解決するための手段】
【０００７】
上記目的を達成するために、本発明は、複数のプリンタから排出されるプリント完成品を注文毎に仕分ける仕分け装置であって、前記プリント完成品が集積される複数の箱と、前記複数の箱が着脱可能に並べて載置されるスタッカーと、前記プリント完成品を前記複数のプリンタの排出口から前記箱へと導くシュートと、前記シュートの排出口の前方に、前記複数の箱が一箱宛移動されるように、前記スタッカーを移動させる移動手段と、前記複数の箱の各々を識別するための識別手段と、前記注文に関する注文情報を管理する情報処理装置との信号の入出力を媒介する通信手段とを備え、前記移動手段は、前記通信手段を介して前記情報処理装置から入力される駆動制御信号に基づいて、その動作を制御されることを特徴とする。
【０００８】
なお、前記スタッカーは、前記複数の箱が一列に並べられる長板からなり、前記移動手段は、前記シュートの排出口に対して、前記スタッカーを左右または前後に直線運動させる。あるいは、前記スタッカーは、前記複数の箱が環状に並べられる円板からなり、前記移動手段は、前記シュートの排出口に対して、前記スタッカーを回転運動させる。
【０００９】
また、本発明は、複数のプリンタと、前記複数のプリンタから排出されるプリント完成品を注文毎に仕分ける仕分け装置と、前記複数のプリンタおよび前記仕分け装置に接続し、これらの動作を統括的に制御するとともに、プリントの注文に関する注文情報を管理する情報処理装置とからなるプリントシステムにおいて、前記仕分け装置は、前記プリント完成品が集積される複数の箱と、前記複数の箱が着脱可能に並べて載置されるスタッカーと、前記プリント完成品を前記複数のプリンタの排出口から前記箱へと導くシュートと、前記シュートの排出口の前方に、前記複数の箱が一箱宛移動されるように、前記スタッカーを移動させる移動手段と、前記複数の箱の各々を識別するための識別手段と、前記情報処理装置との信号の入出力を媒介する通信手段とを備え、前記移動手段は、前記通信手段を介して前記情報処理装置から入力される駆動制御信号に基づいて、その動作を制御されることを特徴とする。
【００１０】
なお、前記スタッカーは、前記複数の箱が一列に並べられる長板からなり、前記移動手段は、前記シュートの排出口に対して、前記スタッカーを左右または前後に直線運動させる。あるいは、前記スタッカーは、前記複数の箱が環状に並べられる円板からなり、前記移動手段は、前記シュートの排出口に対して、前記スタッカーを回転運動させる。
【００１１】
また、前記複数のプリンタを一台宛上下に重ねて搭載するための複数の段が設けられたラックを備え、このラックの下部に前記スタッカーを配置することが好ましい。
【００１２】
さらに、前記情報処理装置は、前記駆動制御信号の内容をオペレータが設定することが可能な設定手段を備えることが好ましい。また、前記識別手段の識別結果を元に取得され、前記仕分け装置による前記プリント完成品の仕分け状況を示す仕分け情報を表示する表示装置を備えることが好ましい。
【発明の効果】
【００１３】
本発明の仕分け装置によれば、プリント完成品が集積される複数の箱と、複数の箱が着脱可能に並べて載置されるスタッカーと、プリント完成品を複数のプリンタの排出口から箱へと導くシュートと、シュートの排出口の前方に、複数の箱が一箱宛移動されるように、スタッカーを移動させる移動手段と、複数の箱の各々を識別するための識別手段と、注文に関する注文情報を管理する情報処理装置との信号の入出力を媒介する通信手段とを備え、移動手段は、通信手段を介して情報処理装置から入力される駆動制御信号に基づいて、その動作を制御されるので、簡単な構造でプリント完成品を仕分けることが可能となる。
【００１４】
また、本発明のプリントシステムによれば、複数のプリンタから排出されるプリント完成品を注文毎に仕分ける仕分け装置として、プリント完成品が集積される複数の箱と、複数の箱が着脱可能に並べて載置されるスタッカーと、プリント完成品を複数のプリンタの排出口から箱へと導くシュートと、シュートの排出口の前方に、複数の箱が一箱宛移動されるように、スタッカーを移動させる移動手段と、複数の箱の各々を識別するための識別手段と、注文に関する注文情報を管理する情報処理装置との信号の入出力を媒介する通信手段とを備え、移動手段は、通信手段を介して情報処理装置から入力される駆動制御信号に基づいて、その動作を制御されるものを用いたので、設置箇所および設置形態の選択の幅をより広めることができる。
【発明を実施するための最良の形態】
【００１５】
図１において、本発明を適用したプリントシステム２は、プリンタＡ〜Ｃ１０ａ〜１０ｃと、仕分け装置１１と、プリンタＡ〜Ｃ１０ａ〜１０ｃおよび仕分け装置１１に接続し、これらの動作を統括的に制御する情報処理装置としてのホストコンピュータ（ＨＣ）１２と、表示装置１３とからなる。このプリントシステム２は、街頭のＤＰＥ店などに設置されるプリント注文装置や、顧客が所有するパーソナルコンピュータなどからＨＣ１２に入力される画像データを、プリンタＡ〜Ｃ１０ａ〜１０ｃで印刷出力し、仕分け装置１１でプリント注文した顧客毎にプリント完成品２９（図２参照）を仕分け、料金と引き換えにプリント完成品２９を顧客に引き渡すものである。
【００１６】
プリンタＡ〜Ｃ１０ａ〜１０ｃは、例えば、それぞれが異なる色に発色する感熱発色層が層設されたカラー感熱記録紙を、サーマルヘッドで加熱して記録を行うカラー感熱プリンタなどからなる。これらのプリンタＡ〜Ｃ１０ａ〜１０ｃは、ＨＣ１２とＳＣＳＩ（Small Computer System Interface ）接続されており、ＨＣ１２から送信される画像データを印刷出力するとともに、自らの動作状況をＨＣ１２に送信する。
【００１７】
図２に示すように、プリンタＡ〜Ｃ１０ａ〜１０ｃは、その正面を揃えてラック２０の各段２０ａ〜２０ｃに一台宛上下に重ねて搭載されている。ラック２０の各段２０ａ〜２０ｃは、４本の支柱２１により連結されている。これらの支柱２１の下部には、プリンタＡ〜Ｃ１０ａ〜１０ｃを搭載したままラック２０を移動させるための４個のキャスター２２がそれぞれ取り付けられている。
【００１８】
仕分け装置１１は、箱Ａ〜Ｃ２３ａ〜２３ｃ、スタッカー２４、シュート２５、ガイドレール２６、およびモータ２７などからなる。箱Ａ〜Ｃ２３ａ〜２３ｃは、プリンタＡ〜Ｃ１０ａ〜１０ｃの正面に設けられた排出口２８ａ〜２８ｃから排出されるプリント完成品２９を集積する。これらの箱Ａ〜Ｃ２３ａ〜２３ｃは、長板状のスタッカー２４に一列に並べて載置され、スタッカー２４から着脱可能となっている。
【００１９】
スタッカー２４は、ラック２０の段２０ｃの下部に取り付けられた筐体３０から、ガイドレール２６を介して図中Ｐ、Ｑ方向に出し入れ自在となっている。図３に示すように、スタッカー２４の底板の裏面には、ガイドレール２６に嵌合する嵌合部材３１が設けられている。図中左側の嵌合部材３１は、ガイドレール２６内に配置され、その上部がガイドレール２６から露呈された２個のローラ３２ａ、３２ｂ（図４参照）と当接している。
【００２０】
ローラ３２ａ、３２ｂには、図示しないギアやプーリなどの駆動伝達機構を介して、モータ２７の駆動力が伝達される。なお、ローラ３２ａ、３２ｂは、嵌合部材３１がスリップしないように、ゴムなどの摩擦係数が大きい材質からなる。また、ガイドレール２６のＰ方向の先端には、スタッカー２４の脱落を防止するための抜け止め（図示せず）が設けられている。
【００２１】
モータ２７が正転すると、スタッカー２４は、ガイドレール２６、嵌合部材３１、およびローラ３２ａ、３２ｂにより、筐体３０から引き出される方向（Ｐ方向）に移動する。一方、モータ２７が逆転すると、スタッカー２４は、筐体３０に収納される方向（Ｑ方向）に移動する。
【００２２】
図４に示すように、箱Ａ２３ａの底板の裏面には、その略中央にＩＣタグ３３ａが取り付けられている。また、スタッカー２４の底板には、検知穴３４ａが形成されている。さらに、ガイドレール２６に懸け渡された桁３５には、ＩＣタグ３３ａを読み取るためのタグリーダ３６が取り付けられている。
【００２３】
ＩＣタグ３３ａには、箱Ａ２３ａ固有の情報、例えばＩＤ番号が記憶されている。検知穴３４ａは、箱Ａ２３ａをスタッカー２４に載置したときに、ＩＣタグ３３ａと対峙する位置に設けられている。桁３５は、箱Ａ２３ａが後述するシュート２５の排出口２５ｅの前方に移動されたときに、タグリーダ３６でＩＣタグ３３ａを読み取れるような位置に取り付けられている。なお、図示はしていないが、箱Ｂ、Ｃ２３ｂ、２３ｃにも、箱Ａ２３ａと同様にＩＣタグ３３ｂ、３３ｃが取り付けられており、スタッカー２４の底板にも、検知穴３４ａと同様に検知穴３４ｂ、３４ｃが形成されている。
【００２４】
モータ２７によりスタッカー２４が移動され、箱Ａ〜Ｃ２３ａ〜２３ｃが順次シュート２５の排出口２５ｅの前方に移動すると、タグリーダ３６は、その都度ＩＣタグ３３ａ〜３３ｃに記憶された情報を読み取り、後述するＵＳＢコネクタ３９を介して、読み取った情報をＨＣ１２に送信する。
【００２５】
図２において、シュート２５は、プリンタＡ〜Ｃ１０ａ〜１０ｃの各排出口２８ａ〜２８ｃから排出されるプリント完成品２９を受け取る受け取り部２５ａ〜２５ｃと、これらの受け取り部２５ａ〜２５ｃで受け取ったプリント完成品２９を下方へと導くガイド部２５ｄと、ガイド部２５ｄの下部にスロープをつけて形成され、プリント完成品２９を箱Ａ〜Ｃ２３ａ〜２３ｃへと落とし込む排出口２５ｅとから構成される。
【００２６】
シュート２５は、ラック２０の段２０ａ、２０ｃにネジ止めなどで締結された取り付け具３７ａ、３７ｂにより、ラック２０の前面に取り付けられている。取り付け具３７ａ、３７ｂには、ヒンジ３８ａ、３８ｂがそれぞれ取り付けられている。プリンタＡ〜Ｃ１０ａ〜１０ｃの正面パネルを操作する際には、これらのヒンジ３８ａ、３８ｂを用いてシュート２５を図中矢印方向に回動させ、プリンタＡ〜Ｃ１０ａ〜１０ｃの正面をラック２０の前面に露呈させる。
【００２７】
図５に示すように、スタッカー２４が筐体３０に収納された（ａ）に示す状態では、箱Ａ２３ａにプリント完成品２９が集積される。箱Ｂ２３ｂにプリント完成品２９を集積させる場合には、（ａ）に示す状態からモータ２７を正転させて、スタッカー２４を筐体３０から引き出す方向に移動させ、（ｂ）に示す状態とする。また、箱Ｃ２３ｃにプリント完成品２９を集積させる場合には、（ｂ）に示す状態からモータ２７を正転させて、スタッカー２４を筐体３０から引き出す方向にさらに移動させ、（ｃ）に示す状態とする。なお、スタッカー２４を（ａ）〜（ｃ）に示す状態に停止させる方法としては、モータ２７としてステッピングモータを用いた場合は、その駆動パルスをカウントしてもよいし、スタッカー２４の移動を許容する退避位置と、スタッカー２４の移動を禁止する規制位置との間で移動するストッパーをガイドレール２６に設けてもよい。
【００２８】
図３において、筐体３０の背板には、ＨＣ１２との信号の入出力を媒介するＵＳＢ（Universal Serial Bus）コネクタ３９が設けられている。モータ２７は、このＵＳＢコネクタ３９を介してＨＣ１２から入力される駆動制御信号に基づいて、その動作を制御される。
【００２９】
図６において、ＨＣ１２は、ＣＰＵ４０により全体の動作を統括的に制御される。ＣＰＵ４０は、バス４１を介して、画像メモリ４２、ＲＯＭ４３、ＲＡＭ４４、および入出力Ｉ／Ｆ４５に接続している。画像メモリ４２には、プリンタＡ〜Ｃ１０ａ〜１０ｃで印刷出力すべき画像データが格納される。ＲＯＭ４３には、ＨＣ１２の起動時に必要なプログラムや各種データが記録されている。ＲＡＭ４４には、画像データとともに添付される注文に関する注文情報（顧客の個人情報、プリント枚数、プリントサイズなど）が記憶される。
【００３０】
ＣＰＵ４０は、注文情報およびプリンタＡ〜Ｃ１０ａ〜１０ｃの動作状況に応じて、各プリンタＡ〜Ｃ１０ａ〜１０ｃにプリントジョブを割り当てるとともに、モータ２７の駆動を制御する駆動制御信号の内容を決定し、これらプリントジョブおよび駆動制御信号を各プリンタＡ〜Ｃ１０ａ〜１０ｃおよび仕分け装置１１に送信する。
【００３１】
入出力Ｉ／Ｆ４５には、前述のプリンタＡ〜Ｃ１０ａ〜１０ｃ、仕分け装置１１、表示装置１３の他に、キーボードやマウスなどからなる操作部４６が接続されている。この操作部４６を操作することにより、モータ２７の駆動を制御する駆動制御信号の内容をプリントシステム２のオペレータが設定することが可能となっている。
【００３２】
図７に示すように、表示装置１３は、仕分け装置１１によるプリント完成品２９の仕分け状況を示す仕分け情報５０を表示する。この仕分け情報５０は、仕分け装置１１に送信された駆動制御信号の内容、およびタグリーダ３６により読み取られたＩＣタグ３３ａ〜３３ｃに記憶された情報を解析することにより得られる。
【００３３】
次に、上記構成を有するプリントシステム２の処理手順について説明する。まず、ＨＣ１２の画像メモリ４２およびＲＡＭ４４に画像データおよび注文情報が入力されると、ＨＣ１２のＣＰＵ４０により、入力された注文情報およびプリンタＡ〜Ｃ１０ａ〜１０ｃの動作状況に応じて、各プリンタＡ〜Ｃ１０ａ〜１０ｃにプリントジョブが割り当てられ、仕分け装置１１にモータ２７の駆動制御信号が送信される。
【００３４】
プリンタＡ〜Ｃ１０ａ〜１０ｃでは、割り当てられたプリントジョブを元に、画像データが印刷出力される。仕分け装置１１では、入力された駆動制御信号に基づいて、モータ２７の動作が制御され、プリント注文した顧客毎にプリント完成品２９が仕分けられる。      
【００３５】
スタッカー２４が筐体３０に収納された状態では、箱Ａ２３ａにプリント完成品２９が集積される。この状態からモータ２７が正転され、ガイドレール２６、嵌合部材３１、ローラ３２ａ、３２ｂにより、スタッカー２４が筐体３０から引き出される方向に移動されると、箱Ｂ２３ｂにプリント完成品２９が集積される。そして、この状態からモータ２７が正転され、スタッカー２４が筐体３０からさらに引き出される方向に移動されると、箱Ｃ２３ｃにプリント完成品２９が集積される。
【００３６】
モータ２７によりスタッカー２４が移動され、箱Ａ〜Ｃ２３ａ〜２３ｃがシュート２５の排出口２５ｅの前方に移動されたときには、タグリーダ３６により、検知穴３４ａ〜３４ｃを介して、ＩＣタグ３３ａ〜３３ｃに記憶された情報が読み取られる。タグリーダ３６で読み取られた情報は、ＵＳＢコネクタ３９を介してＨＣ１２に送信される。
【００３７】
プリントジョブの終了後、ＨＣ１２では、仕分け装置１１に送信された駆動制御信号の内容、およびタグリーダ３６により読み取られたＩＣタグ３３ａ〜３３ｃに記憶された情報が解析され、これにより得られた仕分け装置１１によるプリント完成品２９の仕分け情報５０が表示装置１３に表示される。プリントシステム２のオペレータは、この表示装置１３に表示された仕分け情報５０を参照して、プリント完成品２９を対応する顧客に引き渡す。
【００３８】
上記のような構成を有する仕分け装置１１を用いると、簡単な構造でプリント完成品２９を仕分けることが可能となる。また、設置箇所および設置形態に制約を受けることなく、ラック２０の段数を増やしたりするだけで、プリンタを新たに追加したり、配置を自由に変更したりすることができる。
【００３９】
また、ＨＣ１２の操作部４６を操作することにより、モータ２７の駆動制御信号の内容をオペレータが設定することが可能な構成としたので、プリントの注文状況に応じた最適な仕分け処理を実行させることができる。さらに、仕分け装置１１によるプリント完成品２９の仕分け情報５０を表示装置１３に表示するので、誤ってプリント完成品２９を顧客に引き渡すことを防止することができる。
【００４０】
なお、上記実施形態では、シュート２５の排出口２５ｅに対して、スタッカー２４を前後に直線運動させているが、左右に直線運動させてもよく、さらには、図８に模式的に示すように、円板状のスタッカー６０に複数（この場合は８個）の箱６１を環状に並べ、これを回転運動させてもよい。
【００４１】
また、上記実施形態では、スタッカー２４を移動させるために、ローラ３２ａ、３２ｂを用いたが、ラックギアおよびピニオンギア、リニアモータ、ワイヤーなどを用いた他の機構を採用してもよい。
【００４２】
なお、複数の箱の各々を識別する手段としては、上記実施形態のＩＣタグ３３ａ〜３３ｃおよびタグリーダ３６に限らず、箱に穴や突起を形成して、これを機械的に検出することにより行ってもよいし、箱にバーコードを貼り付け、これを光学的に検出してもよい。さらに、プリンタの台数、および箱の個数は、上記実施形態に限定されず、プリントシステム２の仕様に応じて適宜追加変更することが可能である。
【図面の簡単な説明】
【００４３】
【図１】本発明を適用したプリントシステムの概略構成を示すブロック図である。
【図２】プリントシステムの構成を示す斜視図である。
【図３】筐体部分を示す拡大平面図である。
【図４】ＩＣタグおよびタグリーダの配置を示す斜視図である。
【図５】仕分け装置の動作状態を表す図であり、（ａ）は箱Ａにプリント完成品を集積させる場合、（ｂ）は箱Ｂに集積させる場合、（ｃ）は箱Ｃに集積させる場合をそれぞれ示す。
【図６】ホストコンピュータの構成を示すブロック図である。
【図７】表示装置に表示される仕分け情報の一例を示す図である。
【図８】スタッカーの別の実施形態を示す模式図である。
【符号の説明】
【００４４】
２  プリントシステム
１０ａ〜１０ｃ  プリンタＡ〜Ｃ
１１  仕分け装置
１２  ホストコンピュータ（ＨＣ）
１３  表示装置
２０  ラック
２０ａ〜２０ｃ  段
２３ａ〜２３ｃ  箱Ａ〜Ｃ
２４  スタッカー
２５  シュート
２５ｅ  排出口
２６  ガイドレール
２７  モータ
２８ａ〜２８ｃ  排出口
２９  プリント完成品
３０  筐体
３１  嵌合部材
３２ａ、３２ｂ  ローラ
３３ａ〜３３ｃ  ＩＣタグ
３６  タグリーダ
３９  ＵＳＢコネクタ
４０  ＣＰＵ
４６  操作部
５０  仕分け情報
６０  スタッカー
６１  箱
【図１】
2005272123.tif 000003
【図２】
2005272123.tif 000004
【図３】
2005272123.tif 000005
【図４】
2005272123.tif 000006
【図５】
2005272123.tif 000007
【図６】
2005272123.tif 000008
【図７】
2005272123.tif 000009
【図８】
2005272123.tif 000010